(57)【要約】【課題】リンクプレート打ち抜き金型内で粗打ち抜き加工した後の打ち抜き周縁部に対するシェービング加工のズレを抑制して打ち抜き品質の均一化を達成できるサイレントチェーン用リンクプレートおよびその製造方法を提供すること。【解決手段】帯状鋼板Ｈを異なる複数の加工型ｄ１，ｄ２，ｄ３からなる一連のリンクプレート打ち抜き金型Ｄへ間欠的に順送りして粗打ち抜きの加工型ｄ１，ｄ２，ｄ３毎に粗打ち抜き加工した後の打ち抜き周縁部に加工型Ｓ３，Ｓ２，Ｓ１のシェービング加工を施すサイレントチェーン用リンクプレート１００の製造方法において、帯状鋼板Ｈがリンクプレート打ち抜き金型Ｄ内の順送り中間位置Ｄｍを基準とした送り込み側と送り出し側で対称に位置決めされるような順送り調整状態で、送り込み側で施した粗打ち抜き加工に対応するシェービング加工Ｓ３，Ｓ２，Ｓ１が送り出し側の相対する順送り位置で施されるようにしたこと。【選択図】    図２
2005014022.tif 000002
【特許請求の範囲】
【請求項１】
帯状鋼板を異なる複数の加工型からなる一連のリンクプレート打ち抜き金型へ間欠的に順送りして加工型毎に粗打ち抜き加工した後の打ち抜き周縁部にシェービング加工を施すサイレントチェーン用リンクプレートの製造方法において、
前記帯状鋼板がリンクプレート打ち抜き金型内の順送り中間位置を基準とした送り込み側と送り出し側で対称に位置決めされるような順送り調整状態で、前記送り込み側で施した粗打ち抜き加工に対応するシェービング加工が送り出し側の相対する順送り位置で施されるようにしたことを特徴とするサイレントチェーン用リンクプレートの製造方法。
【請求項２】
前記粗打ち抜き加工に対応するシェービング加工が、リンクプレートを構成する噛み合い歯面、連結ピン孔内面、プレート背面の少なくとも一カ所に施されるようにしたことを特徴とする請求項１記載のサイレントチェーン用リンクプレートの製造方法。
【請求項３】
前記粗打ち抜き加工に対応するシェービング加工が、リンクプレートを構成する噛み合い歯面、連結ピン孔内面、プレート背面の少なくとも二か所に同時に施されるようにしたことを特徴とする請求項１記載のサイレントチェーン用リンクプレートの製造方法。
【請求項４】
帯状鋼板を異なる複数の加工型からなる一連のリンクプレート打ち抜き金型へ間欠的に順送りして加工型毎に粗打ち抜き加工した後の打ち抜き周縁部にシェービング加工が施されたサイレントチェーン用リンクプレートにおいて、
前記帯状鋼板がリンクプレート打ち抜き金型内の順送り中間位置を基準とした送り込み側と送り出し側で対称に位置決めされるような順送り調整状態で、前記送り込み側で施した粗打ち抜き加工に対応するシェービング加工が送り出し側の相対する順送り位置で施されていることを特徴とするサイレントチェーン用リンクプレート。
【請求項５】
前記粗打ち抜き加工に対応するシェービング加工が、リンクプレートを構成する噛み合い歯面、連結ピン孔内面、プレート背面の少なくとも一カ所に施されていることを特徴とする請求項４記載のサイレントチェーン用リンクプレート。
【請求項６】
前記粗打ち抜き加工に対応するシェービング加工が、リンクプレートを構成する噛み合い歯面、連結ピン孔内面、プレート背面の少なくとも二か所に同時に施されていることを特徴とする請求項４記載のサイレントチェーン用リンクプレート。
【発明の詳細な説明】
【０００１】
【発明の属する技術分野】
本発明は、サイレントチェーンに関するものであって、特に、サイレントチェーンを構成するリンクプレートの製造方法及び該製造方法により得られたサイレントチェーン用リンクプレートに関するものである。
【０００２】
【従来の技術】
従来のサイレントチェーン用リンクプレートは、噛み合い歯面の外形打ち抜き加工後に、噛み合い歯面で内側フランク面およびクロッチ部のシェービング加工を同時に行い、これにより、内側フランク面からクロッチ部にかけての部分を滑らかで一様な面粗度にすることができ、その結果としてマイクロクラックの発生を防止でき、疲労強度を向上できるようになっている（例えば、特許文献１参照）。
【０００３】
【特許文献１】
特開２００２−２８７４９号公報（図１−図７）
【０００４】
【発明が解決しようとする課題】
しかしながら、このようなサイレントチェーン用リンクプレート５００の製造方法には、図５乃至図７から明らかなように、以下のような問題があった。
ここで、図５に示す従来の製造方法は、サイレントチェーン用リンクプレート５００を構成する連結ピン孔内面５１０、スプロケットとの噛み合い歯面５２０、チェーンガイドのシュー面と接触するプレート背面５３０の加工順で、粗打ち抜き加工とこれに連続して対応するシェービング加工を施すものであって、図６は、図５のＢで示す加工領域を拡大視したものである。また、図７に示す従来のサイレントチェーン用リンクプレート６００の製造方法は、連結ピン孔内面６１０、噛み合い歯面６２０、プレート背面６３０のうち、噛み合い歯面６２０とプレート背面６３０とを同時に加工するようにした加工順で、粗打ち抜き加工とこれに連続して対応するシェービング加工を施すものである。
【０００５】
すなわち、図５に示すように、供給ロールから引き出された帯状鋼板Ｈをリンクプレート打ち抜き金型Ｄ内にパイロット孔Ｒに基づいて間欠的に順送りしてリンクプレート５００を打ち抜いた後、残余の帯状鋼板Ｈを巻き取りロールに巻き取り回収するように製造すると、供給ロールに巻かれている段階で既に発生しているロール幅方向のごく僅かな曲がり歪みによって、順送り時に帯状鋼板Ｈに蛇行、斜行などの曲がりを発生させ、この帯状鋼板Ｈに発生した蛇行などの曲がりが、リンクプレート打ち抜き金型Ｄ内においてそのまま、すなわち、供給ロール側から供給されたままの送り状態で持ち込まれ、図６に拡大視したように、粗打ち抜き加工に対応して連続配置されたシェービング加工Ｓに打ち抜きズレＸを惹起させる。
そして、このような打ち抜きズレＸは、リンクプレート打ち抜き金型Ｄ内におけるシェービング加工Ｓが巻き取りロール側に配置するに伴って拡大する。
【０００６】
その結果、０．１ｍｍ程度の少ないシェービング代で打ち抜かれたサイレントチェーン用リンクプレート５００には、シェービング加工Ｓが予定通り施されて破断面から剪断面に改良できた部分とシェービング加工Ｓが予定通り施されずに破断面から剪断面に改良できなかった部分が発生し、狙いの剪断面率や面粗度が得られずにチェーンの摩耗伸び性能が低下するとともに、シェービング加工Ｓが予定通り施されずに破断面から剪断面に改良できなかった部分では、リンクプレート製造時にマイクロクラックが発生し、その部分を起点としたチェーン破壊を防止することができず、所定のチェーン強度を長期間に亙って維持することができないという問題があった。しかも、このようなシェービング加工Ｓの打ち抜きズレＸによって一部欠損したリング状抜き滓が発生し、この一部欠損したリング状抜き滓がリンクプレート打ち抜き金型Ｄ内から完全に排出されずに一部残留して打ち抜き傷や残留痕などを誘発してリンクプレート５００の打ち抜き品質を低下させるという問題があった。
【０００７】
また、上記リンクプレート打ち抜き金型Ｄ内における帯状鋼板Ｈの曲がりによって、連結ピン孔内面５１０と噛み合い歯面５２０の打ち抜き位置の距離精度が保てず、連結ピン孔内面５１０と噛み合い歯面５２０との間の桟幅Ｗが狭くなって、スプロケットとの噛み合い位置にバラツキが生じ、チェーン強度の更なる低下を招くという問題があるばかりでなく、連結ピン孔内面５１０とプレート背面５３０の打ち抜き位置の距離精度が保てず、チェーン走行ラインに対するプレート背面５３０の位置にバラツキが生じ、チェーンガイドのシュー摩耗が著しく進行するという問題があった。
【０００８】
そこで、本発明の目的は、前述したような従来の技術の問題点を解決するものであって、リンクプレート打ち抜き金型内に順送りされた帯状鋼板に曲がりが生じても粗打ち抜き加工した後の打ち抜き周縁部に対するシェービング加工の打ち抜きズレを抑制して打ち抜き品質の均一化を達成できるサイレントチェーン用リンクプレートの製造方法を提供するとともに、スプロケットとの噛み合い歯面、チェーンガイドのシュー面と接触するプレート背面、連結ピン孔内面等の仕上げ精度、プレート平面に対する直角度、各面間の位置精度及び平行度に優れたサイレントチェーン用リンクプレートを提供することである。
【０００９】
【課題を解決するための手段】
前記目的を達成するため、本請求項１に記載された発明は、帯状鋼板を異なる複数の加工型からなる一連のリンクプレート打ち抜き金型へ間欠的に順送りして加工型毎に粗打ち抜き加工した後の打ち抜き周縁部にシェービング加工を施すサイレントチェーン用リンクプレートの製造方法において、前記帯状鋼板がリンクプレート打ち抜き金型内の順送り中間位置を基準とした送り込み側と送り出し側で対称に位置決めされるような順送り調整状態で、前記送り込み側で施した粗打ち抜き加工に対応するシェービング加工が送り出し側の相対する順送り位置で施されるようにしたサイレントチェーン用リンクプレートの製造方法を提供する。
【００１０】
本請求項２に記載された発明は、請求項１記載の構成に加えて、前記粗打ち抜き加工に対応するシェービング加工が、リンクプレートを構成する噛み合い歯面、連結ピン孔内面、プレート背面の少なくとも一カ所に施されるようにしたサイレントチェーン用リンクプレートの製造方法を提供する。
【００１１】
本請求項３に記載された発明は、請求項１記載の構成に加えて、前記粗打ち抜き加工に対応するシェービング加工が、リンクプレートを構成する噛み合い歯面、連結ピン孔内面、プレート背面の少なくとも二か所に同時に施されるようにしたサイレントチェーン用リンクプレートの製造方法を提供する。
【００１２】
本請求項４に記載された発明は、帯状鋼板を異なる複数の加工型からなる一連のリンクプレート打ち抜き金型へ間欠的に順送りして加工型毎に粗打ち抜き加工した後の打ち抜き周縁部にシェービング加工が施されたサイレントチェーン用リンクプレートにおいて、前記帯状鋼板がリンクプレート打ち抜き金型内の順送り中間位置を基準とした送り込み側と送り出し側で対称に位置決めされるような順送り調整状態で、前記送り込み側で施した粗打ち抜き加工に対応するシェービング加工が送り出し側の相対する順送り位置で施されているサイレントチェーン用リンクプレートを提供する。
【００１３】
本請求項５に記載された発明は、請求項４記載の構成に加えて、前記粗打ち抜き加工に対応するシェービング加工が、リンクプレートを構成する噛み合い歯面、連結ピン孔内面、プレート背面の少なくとも一カ所に施されているサイレントチェーン用リンクプレートを提供する。
【００１４】
本請求項６に記載された発明は、請求項４記載の構成に加えて、前記粗打ち抜き加工に対応するシェービング加工が、リンクプレートを構成する噛み合い歯面、連結ピン孔内面、プレート背面の少なくとも二か所に同時に施されているサイレントチェーン用リンクプレートを提供する。
【００１５】
なお、本発明で言う「シェービング加工」とは、一次加工と称する粗打ち抜き加工時に帯状鋼板をポンチで打ち抜いて形成した打ち抜き周縁部の輪郭よりも、僅かに大きな輪郭を有する棒状又は柱状のシェービング工具を用い、前記ポンチと同様にして前記帯状鋼板の打ち抜き周縁部を押し抜くことにより、前記打ち抜き周縁部の輪郭を少量削り取り、ポンチで打ち抜く粗打ち抜き加工時に生じた粗面やダレを除去して、打ち抜き周縁部の表面粗度や表面精度を向上させる二次加工をいう。
【００１６】
また、本発明では、シェービング加工をリンクプレートの外側噛み合い歯面と内側噛み合い歯面の両方に施すことで便宜的に説明するが、スプロケットと内側噛み合いを行うサイレントチェーンに用いるリンクプレートでは、内側噛み合い歯面のみをシェービング加工すれば良いが、スプロケットと外側噛み合いを行うサイレントチェーンに用いるリンクプレートでは、外側噛み合い歯面のみをシェービング加工するだけでなく二股状部分も含めた内側噛み合い歯面をシェービング加工すると良い。
【００１７】
さらに、本発明で言う「加工型」とは、リンクプレート打ち抜き金型内にリンクプレート単位で等間隔に送り込み側から送り出し側に向けて一連に配置される噛み合い歯面、連結ピン孔内面、プレート背面などの打ち抜き型、もしくはこれらの組み合わせからなる打ち抜き型をいう。
【００１８】
【作用】
本発明は、帯状鋼板を異なる複数の加工型からなる一連のリンクプレート打ち抜き金型へ間欠的に順送りして加工型毎に粗打ち抜き加工した後の打ち抜き周縁部にシェービング加工を施すサイレントチェーン用リンクプレートの製造方法において、帯状鋼板がリンクプレート打ち抜き金型内の順送り中間位置を基準とした送り込み側と送り出し側で対称に位置決めされるような順送り調整状態で、前記送り込み側で施した粗打ち抜き加工に対応するシェービング加工が送り出し側の相対する順送り位置で施されるようにしたことにより、供給ロールからリンクプレート打ち抜き金型内に順送りされる帯状鋼板に蛇行などの曲がりが生じている場合でも、帯状鋼板とリンクプレート打ち抜き金型との相対的な位置決めが、上記の順送り中間位置を基準として送り込み側と送り出し側で対称に確保されるため、従来のような供給ロール側から供給されたままの送り状態で持ち込まれた帯状鋼板の場合に比較すると、帯状鋼板とリンクプレート打ち抜き金型との相対的な位置ズレを解消して打ち抜きズレを従来の半分程度に抑え込んだ状態でシェービング加工が施される。
【００１９】
特に、前記リンクプレート打ち抜き金型内における順送り中間位置の直前で施された粗打ち抜き加工に対応するシェービング加工が順送り中間位置の直後で施されるような場合には、従来のような帯状鋼板に生じた曲がりの影響を受ける打ち抜きズレが最大限に抑制される。
【００２０】
また、本発明のサイレントチェーン用リンクプレートは、帯状鋼板とリンクプレート打ち抜き金型との相対的な位置ズレを抑え込んだ状態でシェービング加工が施されているため、少ないシェービング代で打ち抜かれた狙いの剪断面率や面粗度が形成されてマイクロクラックの発生などが抑制され、サイレントチェーンとして編成された場合に、所定のチェーン強度を長期に亙って維持するばかりでなく、スプロケットとの噛み合い時にリンクプレートがスプロケットの歯面に直角に当接して均一な噛み合い状態が得られるとともに、連結ピン孔内面と連結ピンとが平行に接触して摩耗伸びが抑制され、さらに、連結ピン孔内面とプレート背面の打ち抜き位置の精度を確保してチェーン走行ラインに対するプレート背面の位置にバラツキを生じない。
【００２１】
【実施例】
以下、図面に基づいて本発明を詳細に説明する。
まず、図１は、本発明を用いて編成されたサイレントチェーンＳＣを一部破断して示した斜視図であって、一対のガイドプレートＧＰとこれらのガイドプレートＧＰ間に配置された複数のリンクプレートＬＰとが連結ピンＣＰによってチェーン長手方向に無端状に連結されているサイレントチェーンＳＣを示している。
【００２２】そこで、図２は、本発明の第１実施例であるサイレントチェーン用リンクプレートの製造方法を説明する図であり、図３は、図２のＡで示す加工領域の拡大図であって、本実施例のサイレントチェーン用リンクプレート１００は、連結ピン孔内面１１０、噛み合い歯面１２０、プレート背面１３０からなる基本的な構造を備えており、本実施例では、帯状鋼板Ｈを複数の異なる加工型ｄ１，ｄ２，ｄ３、すなわち、連結ピン孔内面１１０を形成する粗打ち抜きの加工型ｄ１，噛み合い歯面１２０を形成する粗打ち抜きの加工型ｄ２，プレート背面１３０を形成する粗打ち抜きの加工型ｄ３を備えた一連のリンクプレート打ち抜き金型Ｄへプレート単位で間欠的に順送りして粗打ち抜きの加工型ｄ１，ｄ２，ｄ３毎に粗打ち抜き加工した後、これらの打ち抜き周縁部にそれぞれの加工型ｄ１，ｄ２，ｄ３に見合う加工型Ｓ３，Ｓ２，Ｓ１のシェービング加工が施されるようになっている。
なお、図２における符号ｄｎは、帯状鋼板Ｈからサイレントチェーン用リンクプレート１００を最終的に打ち抜く加工型を示している。
【００２３】
さらに、本実施例について詳しく説明すると、前記帯状鋼板Ｈがリンクプレート打ち抜き金型Ｄ内の順送り中間位置Ｄｍを基準とした送り込み側と送り出し側で対称に位置決めされるような順送り調整状態で、前記送り込み側で施した粗打ち抜き加工のそれぞれに対応する加工型Ｓ３，Ｓ２，Ｓ１のシェービング加工が送り出し側の相対する順送り位置で施されるようになっている。
【００２４】
すなわち、図２に示すように、連結ピン孔内面１１０を形成する加工型ｄ１には、その送り出し側の相対する順送り位置で加工型Ｓ１のシェービング加工が施され、噛み合い歯面１２０を形成する粗打ち抜きの加工型ｄ２には、その送り出し側の相対する順送り位置で加工型Ｓ２のシェービング加工が施され、プレート背面１３０を形成する粗打ち抜きの加工型ｄ３には、その送り出し側の相対する順送り位置で加工型Ｓ３のシェービング加工が施されるようになっており、前記加工型ｄ１，ｄ２，ｄ３で施される粗打ち抜き加工とこれらに対応する加工型Ｓ３，Ｓ２，Ｓ１のシェービング加工は、リンクプレート打ち抜き金型Ｄ内において順送り中間位置Ｄｍを境に送り込み側と送り出し側で対称に配置されている。
【００２５】
なお、前記帯状鋼板Ｈは、リンクプレート打ち抜き金型Ｄ外の送り込み側と送り出し側において、図示しないガイドなどからなる順送り調整機構を用いて、順送り中間位置Ｄｍを基準とした送り込み側と送り出し側で対称になるような順送り状態に調整されるようになっている。
【００２６】
上述したような本実施例の製造方法によれば、図示しない供給ロールからリンクプレート打ち抜き金型Ｄ内にパイロット孔Ｒに基づいてプレート単位で順送りされる帯状鋼板Ｈに蛇行などの曲がりが生じた場合でも、図２乃至図３に示すように、帯状鋼板Ｈとリンクプレート打ち抜き金型Ｄとの相対的な位置決めが順送り中間位置Ｄｍを基準として送り込み側と送り出し側で対称に確保されるため、従来のような供給ロール側から供給されたままの送り状態で持ち込まれた帯状鋼板Ｈの場合に比較すると、帯状鋼板Ｈとリンクプレート打ち抜き金型Ｄとの相対的な位置ズレを従来の半分程度以下に抑え込んだ状態で加工型Ｓ３，Ｓ２，Ｓ１のシェービング加工を施すことができる。
なお、前記パイロット孔Ｒは、帯状鋼板Ｈをリンクプレート打ち抜き金型Ｄ内にプレート単位で正確に順送りするために穿孔するものであって、これによって帯状鋼板Ｈの湾曲などの曲がりを矯正するものではない。
【００２７】
特に、図２で示すようなプレート背面１３０を形成する粗打ち抜きの加工型ｄ３に対応する加工型Ｓ３のシェービング加工のように、前記リンクプレート打ち抜き金型Ｄ内における順送り中間位置Ｄｍの直前で施された粗打ち抜き加工に対応するシェービング加工が順送り中間位置Ｄｍの直後で施されるような場合には、従来のような帯状鋼板Ｈに生じた曲がりの影響を受ける加工位置のズレを最大限に抑制することができる。
【００２８】
そこで、本実施例の製造方法によって得られたサイレントチェーン用リンクプレート１００について詳しく説明すると、帯状鋼板Ｈとリンクプレート打ち抜き金型Ｄとの相対的な位置ズレを抑え込んだ状態で加工型Ｓ３，Ｓ２，Ｓ１のシェービング加工が施されているため、粗打ち抜き加工した後の打ち抜き周縁部にシェービング加工が均等にかつ同程度のシェービング代で板厚の７０％以上の範囲に亘って施されて良好な剪断面が形成されているとともに従来のようなマイクロクラックの発生や打ち抜き傷、残留痕なども解消されるため、狙いの剪断面率や面粗度が得られてチェーンの摩耗伸び性能とチェーン強度を長期間に亙って維持することができる。
【００２９】
しかも、前記粗打ち抜き加工に対応するシェービング加工がリンクプレート１００を構成する連結ピン孔内面１１０、噛み合い歯面１２０、プレート背面１３０に施されていることにより、加工型Ｓ１のシェービング加工が板厚の７０％以上の範囲に亘って施された連結ピンＣＰと摺動する連結ピン孔内面１１０、加工型Ｓ２のシェービング加工が板厚の７０％以上の範囲に亘って施されたスプロケットとの噛み合い歯面１２０、加工型Ｓ３のシェービング加工が板厚の７０％以上の範囲に亘って施されたチェーンガイドのシュー面と接触するプレート背面１３０においてそれぞれ良好な剪断面を充分に確保することができるため、接触面圧が均一かつ減少して動力伝達時の動力損失を著しく低減することができるなど、その効果は甚大である。
【００３０】
つぎに、図４は、本発明の第２実施例であるサイレントチェーン用リンクプレート２００の製造方法を説明する図であって、本実施例のサイレントチェーン用リンクプレート２００は、基本的に連結ピン孔内面２１０、噛み合い歯面２２０、プレート背面２３０から構成されており、本実施例では、帯状鋼板Ｈを複数の異なる加工型ｄ１，ｄ２、すなわち、連結ピン孔内面２１０を形成する粗打ち抜きの加工型ｄ１，噛み合い歯面２２０とプレート背面２３０を同時に形成する粗打ち抜きの加工型ｄ２を備えた一連のリンクプレート打ち抜き金型Ｄへプレート単位で間欠的に順送りして粗打ち抜きの加工型ｄ１，ｄ２毎に粗打ち抜き加工した後、これらの打ち抜き周縁部にそれぞれの加工型ｄ１，ｄ２に見合う加工型Ｓ２，Ｓ１のシェービング加工を施すようになっている。
なお、図４における符号ｄｎは、帯状鋼板Ｈからサイレントチェーン用リンクプレート２００を最終的に打ち抜く加工型を示している。
【００３１】
さらに、本実施例について詳しく説明すると、前記帯状鋼板Ｈがリンクプレート打ち抜き金型Ｄ内の順送り中間位置Ｄｍを基準とした送り込み側と送り出し側で対称に位置決めされるような順送り調整状態で、前記送り込み側で施した粗打ち抜き加工のそれぞれに対応する加工型Ｓ２，Ｓ１のシェービング加工が送り出し側の相対する順送り位置で施されるようになっている。
【００３２】
すなわち、図４に示されているように、連結ピン孔内面２１０を形成する粗打ち抜きの加工型ｄ１には、その送り出し側の相対する順送り位置で板厚の７０％以上の範囲に亘って加工型Ｓ１のシェービング加工が施され、噛み合い歯面２２０とプレート背面２３０を同時に形成する粗打ち抜きの加工型ｄ２には、その送り出し側の相対する順送り位置で板厚の７０％以上の範囲に亘って加工型Ｓ２のシェービング加工が施されるようになっており、前記加工型ｄ１，ｄ２で施される粗打ち抜き加工とこれらに対応する加工型Ｓ２，Ｓ１のシェービング加工は、リンクプレート打ち抜き金型Ｄ内において順送り中間位置Ｄｍを境に送り込み側と送り出し側で対称に配置されている。
なお、前記帯状鋼板Ｈは、本発明の第１実施例と同様に、リンクプレート打ち抜き金型Ｄ外の送り込み側と送り出し側において、図示しないガイドなどからなる順送り調整機構を用いて、順送り中間位置Ｄｍを基準とした送り込み側と送り出し側で対称になるような順送り状態に調整されるようになっている。
【００３３】
したがって、噛み合い歯面２２０とプレート背面２３０とを同時に加工する以外は、上述した本発明の第１実施例であるサイレントチェーン用リンクプレート１００の製造方法と何ら変わるところはなく、同様の効果を奏することができる。
すなわち、本実施例では、帯状鋼板Ｈとリンクプレート打ち抜き金型Ｄとの相対的な位置ズレを抑え込んだ状態で加工型Ｓ２，Ｓ１のシェービング加工が施されているため、粗打ち抜き加工した後の打ち抜き周縁部にシェービング加工が均等にかつ同程度のシェービング代で板厚の７０％以上の範囲に亘って施されて良好な剪断面が形成されているとともに従来のようなマイクロクラックの発生や打ち抜き傷、残留痕なども解消されるため、狙いの剪断面率や面粗度が得られてチェーンの摩耗伸び性能とチェーン強度を長期間に亙って維持することができる。
【００３４】
しかも、前記粗打ち抜き加工に対応するシェービング加工が、リンクプレート２００を構成する噛み合い歯面２２０とプレート背面２３０の二か所に同時に施されていることにより、これら相互間の平行度および距離精度をさらに均一に達成することができるため、たとえば、スプロケット歯面に噛み合い面２２０が直角に当接して安定した均一な噛み合い状態となって噛み合い時の振動や騒音を防止したり、リンクプレート２００の連結ピン孔内面２１０と連結ピンＣＰとの片当たりによる摩耗を低減してサイレントチェーンＳＣの摩耗伸びを抑制することができるなど、その効果は甚大である。
【００３５】
なお、上述した第１実施例と第２実施例は、本発明の具体的な実施形態の一実施例であって、これら以外の実施形態であっても何ら差し支えなく、例えば、粗打ち抜き加工に対応するシェービング加工が連結ピン孔内面と噛み合い歯面の二か所に同時に施されるような実施形態であっても良い。
【００３６】
【発明の効果】
以上説明したように、本請求項１に記載された発明では、帯状鋼板がリンクプレート打ち抜き金型内の順送り中間位置を基準とした送り込み側と送り出し側で対称に位置決めされるような順送り調整状態で、前記送り込み側で施した粗打ち抜き加工に対応するシェービング加工が送り出し側の相対する順送り位置で施されるようにしたことにより、供給ロールからリンクプレート打ち抜き金型内に順送りされる帯状鋼板に蛇行などの曲がりが生じている場合でも、帯状鋼板とリンクプレート打ち抜き金型とが順送り中間位置を基準として送り込み側と送り出し側で相対的に対称に位置決めされるため、従来のシェービング加工に比較すると、帯状鋼板とリンクプレート打ち抜き金型との相対的な位置ズレを半分程度に抑え込んだ状態でシェービング加工が施されるので、サイレントチェーン用リンクプレートの均一な打ち抜き品質を確保することができる。
【００３７】
特に、前記リンクプレート打ち抜き金型内における順送り中間位置の直前で施された粗打ち抜き加工に対応するシェービング加工が順送り中間位置の直後で施されるような場合には、従来のような帯状鋼板に生じた曲がりの影響を受ける加工位置のズレが最大限に抑制されるため、サイレントチェーン用リンクプレートのより一段と優れた均一な打ち抜き品質を確保することができる。
【００３８】
そして、本請求項２記載の発明は、請求項１記載の発明が奏する効果に加えて、前記粗打ち抜き加工に対応するシェービング加工がリンクプレートを構成する噛み合い歯面、連結ピン孔内面、プレート背面の少なくとも一カ所に施されるようにしたことにより、スプロケットとの噛み合い歯面、連結ピンと摺動する連結ピン孔内面、チェーンガイドのシュー面と接触するプレート背面における仕上げ精度、プレート平面に対する直角度の均一化を達成することができる。
【００３９】
さらに、本請求項３記載の発明は、請求項１記載の発明が奏する効果に加えて、前記粗打ち抜き加工に対応するシェービング加工が、リンクプレートを構成する噛み合い歯面、連結ピン孔内面、プレート背面の少なくとも二か所に同時に施されるようにしたことにより、スプロケットとの噛み合い歯面、連結ピンと摺動する連結ピン孔内面、チェーンガイドのシュー面と接触するプレート背面における少なくとも相互間の平行度および距離精度を均一に達成することができる。
【００４０】
また、本請求項４記載のサイレントチェーン用リンクプレートでは、帯状鋼板がリンクプレート打ち抜き金型内の順送り中間位置を基準とした送り込み側と送り出し側で対称に位置決めされるような順送り調整状態で、前記送り込み側で施した粗打ち抜き加工に対応するシェービング加工が送り出し側の相対する順送り位置で施されていることにより、シェービング加工時にシェービング代が僅かであっても、粗打ち抜き加工した後の打ち抜き周縁部にシェービング加工が均等にかつ同程度のシェービング代で施されて良好な剪断面が形成されているとともに従来のようなマイクロクラックの発生や打ち抜き傷、残留痕なども解消されるため、狙いの剪断面率や面粗度が得られてチェーンの摩耗伸び性能とチェーン強度を長期間に亙って維持することができる。
【００４１】
そして、本請求項５記載のサイレントチェーン用リンクプレートでは、請求項４記載の発明が奏する効果に加えて、前記粗打ち抜き加工に対応するシェービング加工がリンクプレートを構成する噛み合い歯面、連結ピン孔内面、プレート背面の少なくとも一カ所に施されていることにより、シェービング加工が施されたスプロケットとの噛み合い歯面、連結ピンと摺動する連結ピン孔内面、もしくは、チェーンガイドのシュー面と接触するプレート背面において良好な剪断面を充分に確保することができるため、接触面圧が均一かつ減少して動力伝達時の動力損失を低減することができる。
【００４２】
さらに、本請求項６記載のサイレントチェーン用リンクプレートでは、請求項４記載の発明が奏する効果に加えて、前記粗打ち抜き加工に対応するシェービング加工が、リンクプレートを構成する噛み合い歯面、連結ピン孔内面、プレート背面の少なくとも二か所に同時に施されていることにより、シェービング加工が施されたスプロケットとの噛み合い歯面、連結ピンと摺動する連結ピン孔内面、チェーンガイドのシュー面と接触するプレート背面における少なくとも相互間の平行度および距離精度を均一に達成することができるため、たとえば、スプロケット歯面に噛み合い歯面が直角に当接して安定した均一な噛み合い状態となって噛み合い時の振動や騒音を防止したり、リンクプレートの連結ピン孔内面と連結ピンとの片当たりによる摩耗を低減してサイレントチェーンの摩耗伸びを抑制することができる。
【図面の簡単な説明】
【図１】本発明を用いて編成されたサイレントチェーンの斜視図。
【図２】本発明の第１実施例であるサイレントチェーン用リンクプレートの製造方法を説明する図。
【図３】図２のＡで示す加工領域の拡大図。
【図４】本発明の第２実施例であるサイレントチェーン用リンクプレートの製造方法を説明する図。
【図５】従来例の製造方法を説明する図。
【図６】図５のＢで示す加工領域の拡大図。
【図７】他の従来例である製造方法を説明する図。
【符号の説明】
１００、２００、５００、６００  ・・・  リンクプレート
１１０、２１０、５１０、６１０  ・・・  連結ピン孔内面
１２０、２２０、５２０、６２０  ・・・  噛み合い面
１３０、２３０、５３０、６３０  ・・・  プレート背面
ＳＣ    ・・・  サイレントチェーン
ＧＰ    ・・・  ガイドプレート
ＬＰ    ・・・  リンクプレート
ＣＰ    ・・・  連結ピン
Ｈ      ・・・  帯状鋼板
Ｒ      ・・・  パイロット孔
Ｄ      ・・・  リンクプレート打ち抜き金型
Ｄｍ    ・・・  順送り中間位置
ｄ１，ｄ２，ｄ３  ・・・  粗打ち抜き加工の加工型
ｄｎ    ・・・  最終的に打ち抜く加工型
Ｓ１，Ｓ２，Ｓ３  ・・・  シェービング加工の加工型
Ｘ      ・・・  位置ズレ
【図１】
2005014022.tif 000003
【図２】
2005014022.tif 000004
【図３】
2005014022.tif 000005
【図４】
2005014022.tif 000006
【図５】
2005014022.tif 000007
【図６】
2005014022.tif 000008
【図７】
2005014022.tif 000009